(57)【特許請求の範囲】
【請求項１】
その一端側が支持部に回動自在に軸支され、ディスク状の記録媒体を収容したディスクカ−トリッジを装着して、ヘッド手段により前記記録媒体に情報を記録する作動位置と、この作動位置から離間した非作動位置との間を回動される前記記録媒体を収容するカ−トリッジ収容部と、このカ−トリッジ収容部の回動に応じて、前記ヘッド手段を前記作動位置と前記非作動位置とに対応する位置に移動するためのヘッド移動手段とを具備するディスク装置において、
前記カ−トリッジ収容部と前記カ−トリッジ収容部を保持するための基台部との側方部に跨がって、その一部にカム部が形成され、前記部材間の相対的な移動に応じて移動可能な連結部材と、前記ヘッド移動手段に前記カム部の移動に応じて当接可能な係止部とを設け、
前記カム部の形状を、前記係止部との協動により、前記カ−トリッジ収容部が前記作動位置にある時、前記カ−トリッジ収容部の前記非作動位置方向への移動を阻止し、前記カ−トリッジ収容部が前記非作動位置にある時、前記ヘッド移動手段を前記作動位置と対応する位置方向への移動を阻止する形状として形成したことを特徴とするディスク装置におけるヘッド移動機構のロック機構。
【発明の詳細な説明】
【０００１】
【産業上の利用分野】
本発明は、ディスク装置におけるヘッド移動機構のロック機構に関する。
【０００２】
【従来の技術】
図４は従来のディスク装置のカ−トリッジ収容機構の概略側面図である。
８はベ−スで、このベ−ス８の起立部８ａには、カ−トリッジ収容部６が回動自在に軸支されている。このカ−トリッジ収容部６の起立部６ａにはヘッド昇降機構３が上下動可能に軸支されている。このヘッド昇降機構３の一端部には磁気ヘッド１を支持する板バネ２と当接する当接部３ａが設けられ、また、スライドレバ−５の一端側の図示しない孔部には、その一端が遊挿されるスライドカム４が連結して設けられている。スライドレバ−５は図示しないモ−タ手段を介して同図上左右方向に移動されるようになっている。また、このスライドレバ−５の他端側には、係合部５ａが設けられ、カ−トリッジ収容部６の側壁にこれと係合してロック機構を構成するための係合部６ｂが設けられた構造となっている。
【０００３】
これらの図において、図４（ａ）は再生時の状態位置を示し、この状態位置において、図示しないモ−タ手段を通じてスライドレバ−５が同図上左方向に移動されると、カ−トリッジ収容部６が時計方向に回動され、図４（ｂ）の状態位置まで回動され、それと同時に、カ−トリッジ収容部６に収容されているディスクカ−トリッジ７が図示しないバネ手段等の作用により排出される。
また、このような状態位置から、再びディスクカ−トリッジ７をカ−トリッジ収容部６の奥方向に挿入して、手動または公知の駆動手段により、カ−トリッジ収容部６が押し下げられて記録モ−ドが選択されると、図４（ｃ）で示すように磁気ヘッド１が接触する状態位置まで至る構成となっている。
【０００４】
また、図５は他の従来例のディスク装置のカ−トリッジ収容機構の概略側面図である。
この装置は、ベ−ス２０の起立部２０ａにカ−トリッジ収容部２１が軸支され、その側壁には回動レバ−２２が設けられ、その一端部に設けられたピン２１ａがベ−ス２０の起立部２０ｂに形成された略逆ヘ条の孔部２０ｃに挿通された構成となっている。
【０００５】
図５（ａ）はその再生時の状態位置図で、この状態位置から図示しない駆動手段によりカ−トリッジ収容部２１が時計方向に回動されると、回動レバ−２２が反時計方向に回動され、その先端が磁気ヘッド２４を上下動させるためのヘッド昇降機構２３の係止部２３ａを押圧し、磁気ヘッド２４が上方に移動され、図５（ｂ）の状態位置に至るように構成されている。
【０００６】
【発明が解決しようとする課題】
ところで、前述の図４に示した従来構造の装置においては、振動等によりモ−タ手段が誤動作等してカ−トリッジ収容機構が意図しない状態位置に移動し、磁気ヘッド等を損傷する恐れがあり、これを防止するために、別機構によりスライドレバ−５又はスライドカム４をロックする機構を設けることも考えられるが、構造が複雑になり、装置の小型化に支障を来すという問題がある。
【０００７】
また、図５に示した従来構造の装置においても、磁気ヘッドが下降している状態に、ロック状態とされていないため、カ−トリッジ収容部６が不用意に上昇されてしまう場合があり、特に記録中においては、大事な情報が記録できないという問題がある。また、これについても別部材によりロック機構を設けて、このような不都合を防ぐこともできるが、上述と同様に、機構が複雑で、小型化に支障を来すという問題があった。
【０００８】
そこで、本発明は、上述した状態時においても、ヘッドを傷つけたり、大事な記録動作に不都合を来すようなことがないようにすると共に、これを達成するために構造を複雑化して装置の小型化に支障を来すことのないような装置を提供することにある。
【０００９】
【課題を解決するための手段】
上記課題を解決するために、本発明のロック機構は、以下の手段より成るものである。
即ち、その一端側が支持部に回動自在に軸支され、ディスク状の記録媒体を収容したディスクカ−トリッジを装着して、ヘッド手段により前記記録媒体に情報を記録する作動位置と、この作動位置から離間した非作動位置との間を回動される前記記録媒体を収容するカ−トリッジ収容部と、このカ−トリッジ収容部の回動に応じて、前記ヘッド手段を前記作動位置と前記非作動位置とに対応する位置に移動するためのヘッド移動手段とを具備するディスク装置において、
前記カ−トリッジ収容部と前記カ−トリッジ収容部を保持するための基台部との側方部に跨がって、その一部にカム部が形成され、前記部材間の相対的な移動に応じて移動可能な連結部材と、前記ヘッド移動手段に前記カム部の移動に応じて当接可能な係止部とを設け、
前記カム部の形状を、前記係止部との協動により、前記カ−トリッジ収容部が前記作動位置にある時、前記カ−トリッジ収容部の前記非作動位置方向への移動を阻止し、前記カ−トリッジ収容部が前記非作動位置にある時、前記ヘッド移動手段を前記作動位置と対応する位置方向への移動を阻止する形状として形成したことを特徴とするディスク装置におけるヘッド移動機構のロック機構。
【００１０】
【実施例】
以下、図面を参照して、本発明の一実施例につき説明する。
図１〜図３は本発明の一実施例に係るディスク装置におけるヘッド移動機構のロック機構の概略側面図である。
図１は再生時の状態図、図２は非作動位置における状態図、図３は記録時の状態図である。
これらの図において、５０はベ−スで、このベ−ス５０の両側方には起立部５０ａが夫々設けられ、これらの起立部５０ａにはカ−トリッジ収容部５１が回動可能なように軸５２によって夫々軸支されている。
また、ベ−ス５０の一方の側方には起立部５０ｂが形成され、この起立部５０ｂには軸５４により回動レバ−５３が軸支されている。また、この回動レバ−５３の上方部にはカム５３ａが形成されると共に、内側にピン５３ｂが設けられている。
【００１１】
一方、カ−トリッジ収容部５１は、ディスク状の記録媒体Ｄを収納したカ−トリジを不都合なく収容できるように断面略長方形の中空部となっており、その上部に起立部５１ａが形成されている。この起立部５１ａには、長孔５１ａ−１が穿たれ、この長孔５１ａ−１に既述の回動レバ−５３に設けられたピン５３ｂが挿通されている。
【００１２】
また、一方、５６は磁気ヘッドで、この磁気ヘッド５６は板バネ５７に支持され、この板バネ５７は図示しない周知のスライダ機構の支持部に上下動可能に軸支されている。また、このスライダ機構は板バネ５７に支持される磁気ヘッド５６を記録媒体Ｄの径方向に移動可能なように周知の構成から成るものである。
【００１３】
５９は磁気ヘッド５６を上下動させるためのヘッド昇降動機構で、図示しない連結機構を介してモ−タ等の駆動手段により駆動される構成となっている。その先端部に板バネ５７との当接部５９ａが形成されていると共に、側方部にロック機構を構成する係止部５９ｂが形成されている。この係止部５９ｂは回動レバ−５３に形成されたカム５３ａとの対応関係で設けられており、これがロック機構として作用する場合には、カム５３ａと当接して後述する不都合方向、即ち、記録時にはカ−トリッジ収容部５１が上部方向に移動しない方向、或いは、カ−トリッジ収納部５１が非動作位置にあって磁気ヘッド５６が下降しない方向への移動を阻止するようになっている。
【００１４】
次に、このような構成による動作の説明をする。
まず、図２において、この状態時にはカ−トリジ収容部５１は非作動位置である上方に回動されている。この状態時に挿入口５１ｂからカ−トリッジ５５を挿入してカ−トリジ収容部５１内に装着する。その後、手動によりカ−トリジ収容部５１を図１の作動位置まで押し下げ、図示しない操作手段により再生モ−ドを選択すると、図示しないピックアップ機構により磁気ヘッド５６が図面上左右方向の所定位置に移動され、装着される記録媒体Ｄから記録済み信号を再生するように動作する。
【００１５】
また、この図１で示す状態位置から、記録モ−ドを選択すると、磁気ヘッド５６は図示しない駆動手段により、図２で示す位置より下降方向に移動されて、図３で示すような記録媒体Ｄと接触する位置まで移動せられる。
この移動に応じて回動レバ−５３も反時計方向に回動し、カム５３ａと係止部５９ｂとが近接する位置まで回動せられる。例えば、この状態時に、不用意にカ−トリジ収容部５１を上方方向に持ち上げるような力が作用しても、前記カム５３ａと係止部５９ｂとが当接して、ロック機構の役目を果たし、上方への移動が阻止される。
【００１６】
また、この状態時から、記録動作を中断してカ−トリッジ収容部５１が図２に示す非作動位置に上昇されると、これに応じて回動レバ−５３が時計方向に回動し、同時にピン５３ｂも長孔５１ａ−１内を図面上右側方向に移動する。ピン５３ｂが長孔５１ａ−１内の右端に至った段階では、回動レバ−５３の回動角度位置等との関係位置によりこの状態位置が保持される。即ち、カ−トリッジ収容部５１の下方方向への移動が阻止される。更に、この状態位置は図示しない保持機構により確実に保持される構成となっている。尚、磁気ヘッド５６は、すでに、図示しない駆動手段により図２で示す位置まで上昇されている。
【００１７】
この図２で示す非作動位置では、係止部材５９ｂと回動レバ−５３のカム部５３ａとが接触するような位置関係となっており、この状態時に、カ−トリッジ５５の出し入れ等により、磁気ヘッド５６に不用意に下方方向への力が作用しても、係止部５９ｂとカム部５３ａとの接触により、下降方向への移動を阻止するロック機構としての役目を果たし、磁気ヘッド５６を傷つけたりすることがない。
【００１８】
以上説明したように本実施例によれば、係止部５９ｂと回動レバ−５３のカム部５３ａとのロック機構により、記録動作時に、カ−トリッジ収容部５１がロックされ、磁気ヘッド５６が不用意に持ち上げられて大事な情報の記録を逃してしまうようなことがなく、また、非作動位置であるカ−トリッジ収容部５５が上昇した位置では、磁気ヘッド５６を下方方向に押しやるような力が作用しても、他部材との接触により磁気ヘッド５６等を損傷してしまうような不都合は生じない。
また、本実施例のロック機構は極めて簡略化構造であり、しかも、ロック機構を構成する部材は、磁気ヘッド５６の上下動をさせるための駆動源とはなっておらず、磁気ヘッド５６を上下動させるためのヘッド昇降機構の制約が従来例に比べなくなり、装置の小型・薄型化に寄与できるものとなる。
【００１９】
【発明の効果】
本発明のロック機構によれば、記録動作にヘッド手段が不用意に上昇されて大事な情報の記録を逃してしまったり、カ−トリッジ収容部が非動作位置にある時、ヘッド手段が移動されるような力が作用しても、ヘッド手段が他部材と接触して、ヘッド手段等を損傷してしまうようなことがない。
また、ロック機構は極めて簡略化した構造であり、しかも、ヘッド手段を上下動させるための駆動源とはなっておらず、装置の設計がし易くなると共に、装置の小型・薄型化が達成できる。
【図面の簡単な説明】
【図１】本発明の一実施例を示すディスク装置の再生時の状態図である。
【図２】本発明の一実施例を示すディスク装置の非作動位置における状態図である。
【図３】本発明の一実施例を示すディスク装置の記録時の状態図である。
【図４】従来のディスク装置のカ−トリッジ収容機構の概略側面図である。
【図５】他の従来例のディスク装置のカ−トリッジ収容機構の概略側面図である。
【符号の説明】
５０    ベ−ス
５０ａ，５０ｂ，５１ａ    起立部
５１    カ−トリッジ収容部
５１ａ−１    長孔
５３    回動レバ−
５３ａ    カム
５６    磁気ヘッド
５７    板バネ
５９    ヘッド昇降機構
５９ａ    当接部
５９ｂ    係止部
【図１】
0003551331.tif 000002
【図２】
0003551331.tif 000003
【図３】
0003551331.tif 000004
【図４】
0003551331.tif 000005
【図５】
0003551331.tif 000006